(57)【要約】【課題】単葉の値下げ用台紙なしラベル１０をバーコード目隠し片より切り離し易くした値下げ用台紙なしラベル連続体、その貼付け方法およびその印字方法を提供すること。【解決手段】商品の元価格についての値下げ情報を表示可能な値下げ表示領域１１、および元価格の価格情報に関連するバーコードを隠蔽可能なバーコード隠蔽領域１２についてそのミシン目（第１の切り目１５、第２の切り目１６）の切離し強度を変えておくことに着目し、領域分離線１３は、ラベル基材の両端縁部それぞれから幅方向内方に形成した第１の切り目１５を含む第１のミシン目からこれを構成し、単位接合線１４は、ラベル基材の両端縁部それぞれから幅方向内方に形成した第２の切り目１６を含む第２のミシン目からこれを構成するとともに、第２の切り目１６は、第１の切り目１５よりこれを長く形成してあることを特徴とする。【選択図】図１
2010145465.tif 000002
【特許請求の範囲】
【請求項１】
ラベル基材と、
このラベル基材の裏面に形成する粘着剤層と、
このラベル基材の表面に形成する感熱発色剤層と、
この感熱発色剤層の上層に形成する剥離剤層と、を有し、
商品に表示されている元価格についての値下げ情報を表示可能な値下げ表示領域と、
前記元価格の価格情報に関連するバーコードを隠蔽可能なバーコード隠蔽領域と、を領域分離線を介して分離可能に設けているとともに、
前記値下げ表示領域および前記バーコード隠蔽領域を値下げ用台紙なしラベルの単位ラベルとして単位接合線により分離可能に接続している値下げ用台紙なしラベル連続体であって、
前記領域分離線は、前記ラベル基材の両端縁部それぞれから幅方向内方に形成した第１の切り目を含む第１のミシン目からこれを構成し、
前記単位接合線は、前記ラベル基材の両端縁部それぞれから幅方向内方に形成した第２の切り目を含む第２のミシン目からこれを構成するとともに、
この第２の切り目は、
前記第１の切り目よりこれを長く形成してあることを特徴とする値下げ用台紙なしラベル連続体。
【請求項２】
前記領域分離線における前記第１のミシン目は、前記ラベル基材の前記両端縁部に臨んでいる前記第１の切り目から前記ラベル基材の幅方向内方側に、より短い切り目を有しているとともに、
前記単位接合線における前記第２のミシン目は、前記ラベル基材の前記両端縁部に臨んでいる前記第２の切り目から前記ラベル基材の幅方向内方側に、より短い切り目を有していることを特徴とする請求項１記載の値下げ用台紙なしラベル連続体。
【請求項３】
前記ラベル基材の前記裏面における前記粘着剤層は、これを縞状に形成するとともに、
前記ラベル基材の前記表面における前記剥離剤層は、この縞状の前記粘着剤層に表裏で対応してこれを縞状に形成していることを特徴とする請求項１記載の値下げ用台紙なしラベル連続体。
【請求項４】
前記ラベル基材の前記裏面において前記粘着剤層に隣り合う非粘着剤領域を前記粘着剤層に対して交互に設けるととも、
前記ラベル基材の前記表面において前記剥離剤層に隣り合う非剥離剤領域を前記剥離剤層に対して交互に設けていることを特徴とする請求項１記載の値下げ用台紙なしラベル連続体。
【請求項５】
前記粘着剤層は、前記ラベル基材の前記裏面において前記ラベル基材の両端縁部に位置しているとともに、
前記剥離剤層は、前記ラベル基材の前記表面において前記ラベル基材の両端縁部に位置していることを特徴とする請求項１記載の値下げ用台紙なしラベル連続体。
【請求項６】
前記値下げ表示領域には、前記粘着剤層の領域内において不正貼替え防止用カットを形成していることを特徴とする請求項１記載の値下げ用台紙なしラベル連続体。
【請求項７】
前記バーコード隠蔽領域には、前記値下げ情報に関連するバーコードを印字可能としていることを特徴とする請求項１記載の値下げ用台紙なしラベル連続体。
【請求項８】
ラベル基材と、
このラベル基材の裏面に形成する粘着剤層と、
このラベル基材の表面に形成する感熱発色剤層と、
この感熱発色剤層の上層に形成する剥離剤層と、を有し、
商品に表示されている元価格についての値下げ情報を表示可能な値下げ表示領域と、
前記元価格の価格情報に関連するバーコードを隠蔽可能なバーコード隠蔽領域と、を領域分離線を介して分離可能に設けているとともに、
前記値下げ表示領域および前記バーコード隠蔽領域を値下げ用台紙なしラベルの単位ラベルとして単位接合線により分離可能に接続している値下げ用台紙なしラベル連続体の貼付け方法であって、
前記領域分離線は、前記ラベル基材の両端縁部それぞれから幅方向内方に形成した第１の切り目を含む第１のミシン目からこれを構成し、
前記単位接合線は、前記ラベル基材の両端縁部それぞれから幅方向内方に形成した第２の切り目を含む第２のミシン目からこれを構成するとともに、
この第２の切り目は、
前記第１の切り目よりこれを長く形成してあり、
前記値下げ用台紙なしラベルにおける前記領域分離線の部分において前記値下げ表示領域から前記バーコード隠蔽領域を分離し、
前記元価格の前記価格情報に関連するバーコードに重ね合わせるように前記バーコード隠蔽領域を貼り付けることを特徴とする値下げ用台紙なしラベル連続体の貼付け方法。
【請求項９】
ラベル基材と、
このラベル基材の裏面に形成する粘着剤層と、
このラベル基材の表面に形成する感熱発色剤層と、
この感熱発色剤層の上層に形成する剥離剤層と、を有し、
商品に表示されている元価格についての値下げ情報を表示可能な値下げ表示領域と、
前記元価格の価格情報に関連するバーコードを隠蔽可能なバーコード隠蔽領域と、を領域分離線を介して分離可能に設けているとともに、
前記値下げ表示領域および前記バーコード隠蔽領域を値下げ用台紙なしラベルの単位ラベルとして単位接合線により分離可能に接続している値下げ用台紙なしラベル連続体の印字方法であって、
前記領域分離線は、前記ラベル基材の両端縁部それぞれから幅方向内方に形成した第１の切り目を含む第１のミシン目からこれを構成し、
前記単位接合線は、前記ラベル基材の両端縁部それぞれから幅方向内方に形成した第２の切り目を含む第２のミシン目からこれを構成するとともに、
この第２の切り目は、
前記第１の切り目よりこれを長く形成してあり、
前記値下げ表示領域に前記値下げ情報を印字するとともに、
前記バーコード隠蔽領域に前記値下げ情報に関連するバーコードを印字することを特徴とする値下げ用台紙なしラベル連続体の印字方法。
【発明の詳細な説明】
【技術分野】
【０００１】
本発明は値下げ用台紙なしラベル連続体、その貼付け方法およびその印字方法にかかるもので、とくに商品に表示されている元価格の値下げを表示するための値下げ用台紙なしラベル連続体、その貼付け方法およびその印字方法に関するものである。
【背景技術】
【０００２】
従来の値下げ用台紙なしラベルは、これを用いて複数回の価格変更（値下げ）を行うために同ラベルを元のラベルに重ね合わせて貼り付ける場合に、最初に貼り付けた値下げ用台紙なしラベルの表面全体に剥離剤が塗工されているので、次に重ね合わせて貼り付けた値下げ用台紙なしラベルを最初の値下げ用台紙なしラベルから簡単にはがすことができる。
したがって、値下げ情報を表示した当該値下げ用台紙なしラベルの不正目的による再利用（いわゆる不正貼替え行為）が容易であるという問題があり、さらに、この不正貼替え防止のためにラベル基材に形成した不正貼替え防止用カットから破れることもなく、不正貼替え防止用カット自体の効果がないという問題がある。
【０００３】
また、商品の価格情報に関するバーコードを印字したバーコードラベルは、値下げ処理に応じてバーコードを読取り不可能なように少なくともその一部を隠蔽する必要があり、このバーコードを簡単かつ確実に隠蔽することが要請されている。
なお、上記バーコードはその読取り作業の簡素化ないし能率化のために、商品包装容器の裏面側に貼り付けられている場合があるが、値下げ商品を効率的に販売するためには、商品包装容器の裏面側におけるバーコードを無効化した上で、少なくとも人による読み取り可能な値下げ価格を商品の目立つ箇所（一般的には、その表面側）に表示したいという要望もあった。
【０００４】
さらに、値下げ用台紙なしラベルは、裏打ち用紙ないしは剥離紙としての台紙がないために、これを複数枚連続して構成した値下げ用台紙なしラベル連続体におけるそれぞれの値下げ用台紙なしラベルの境界部に、単葉の値下げ用台紙なしラベルとするための切り離し可能なミシン目（切離し用ミシン目）を形成する必要がある。
また、特許文献１のように、商品の価格情報に関する上記バーコードを隠蔽するための目隠し片をミシン目（切取り用ミシン目）を介してラベル本体から切り取り可能に設けているラベルでは、いずれかのミシン目（切離し用ミシン目あるいは切取り用ミシン目）から値下げ表示ラベル本体部あるいは目隠し片のいずれかが不用意に切り取られる可能性がある。
したがって、値下げ用台紙なしラベル連続体から単葉のラベル本体を切り離す前に、目隠し片が切り取られてしまう可能性があること、あるいは、他のラベル本体の分の目隠し片も一緒に切り取ってしまう可能性があること等々、実際の使用（切離し作業あるいは切取り作業）にあたって十分な注意が必要であり、迅速かつ簡単な取扱いを期待することが困難であるという問題がある。
【０００５】
【特許文献１】特開２００６−３３０６７３号公報
【発明の開示】
【発明が解決しようとする課題】
【０００６】
本発明は以上のような諸問題にかんがみなされたもので、複数回の値下げにともなう複数回の重ね合わせにも適用可能な値下げ用台紙なしラベル連続体、その貼付け方法およびその印字方法を提供することを課題とする。
【０００７】
また本発明は、ラベル基材に形成する不正貼替え防止用カットが有効に機能可能であるような値下げ用台紙なしラベル連続体、その貼付け方法およびその印字方法を提供することを課題とする。
【０００８】
また本発明は、商品の価格情報に関するバーコードを簡単かつ確実に無効化することができる値下げ用台紙なしラベル連続体、その貼付け方法およびその印字方法を提供することを課題とする。
【０００９】
また本発明は、商品の価格情報に関するバーコードが商品包装容器の裏面側など目立たない位置に表示されていても、このバーコードを無効化するとともに、商品の表面側など目立つ位置に値下げ価格を表示可能な値下げ用台紙なしラベル連続体、その貼付け方法およびその印字方法を提供することを課題とする。
【００１０】
また本発明は、値下げ用台紙なしラベル連続体から単葉の値下げ用台紙なしラベル（値下げ表示領域およびバーコード隠蔽領域を含むラベル本体）をバーコードの目隠し片（バーコード隠蔽領域）より切り離し易くした値下げ用台紙なしラベル連続体、その貼付け方法およびその印字方法を提供することを課題とする。
【００１１】
また本発明は、値下げ用台紙なしラベル連続体から値下げ表示領域およびバーコード隠蔽領域を単葉の値下げ用台紙なしラベルとして安定して切り離し可能とした値下げ用台紙なしラベル連続体、その貼付け方法およびその印字方法を提供することを課題とする。
【課題を解決するための手段】
【００１２】
すなわち本発明は、商品の元価格についての値下げ情報を表示可能な値下げ表示領域と、元価格の価格情報に関連するバーコードを隠蔽可能なバーコード隠蔽領域と、をそれぞれのミシン目を介して接続しておくこと、粘着剤層および剥離剤層をラベル基材の表裏において互いに対応するパターンで縞状（筋状）に形成すること、いずれかのミシン目（切離し用ミシン目（第２の切り目）あるいは切取り用ミシン目（第１の切り目））の切離し強度ないし切取り強度を強弱変えておくことに着目したもので、第一の発明は、ラベル基材と、このラベル基材の裏面に形成する粘着剤層と、このラベル基材の表面に形成する感熱発色剤層と、この感熱発色剤層の上層に形成する剥離剤層と、を有し、商品に表示されている元価格についての値下げ情報を表示可能な値下げ表示領域と、上記元価格の価格情報に関連するバーコードを隠蔽可能なバーコード隠蔽領域と、を領域分離線を介して分離可能に設けているとともに、上記値下げ表示領域および上記バーコード隠蔽領域を値下げ用台紙なしラベルの単位ラベルとして単位接合線により分離可能に接続している値下げ用台紙なしラベル連続体であって、上記領域分離線は、上記ラベル基材の両端縁部それぞれから幅方向内方に形成した第１の切り目を含む第１のミシン目からこれを構成し、上記単位接合線は、上記ラベル基材の両端縁部それぞれから幅方向内方に形成した第２の切り目を含む第２のミシン目からこれを構成するとともに、この第２の切り目は、上記第１の切り目よりこれを長く形成してあることを特徴とする値下げ用台紙なしラベル連続体である。
【００１３】
第二の発明は、ラベル基材と、このラベル基材の裏面に形成する粘着剤層と、このラベル基材の表面に形成する感熱発色剤層と、この感熱発色剤層の上層に形成する剥離剤層と、を有し、商品に表示されている元価格についての値下げ情報を表示可能な値下げ表示領域と、上記元価格の価格情報に関連するバーコードを隠蔽可能なバーコード隠蔽領域と、を領域分離線を介して分離可能に設けているとともに、上記値下げ表示領域および上記バーコード隠蔽領域を値下げ用台紙なしラベルの単位ラベルとして単位接合線により分離可能に接続している値下げ用台紙なしラベル連続体の貼付け方法であって、上記領域分離線は、上記ラベル基材の両端縁部それぞれから幅方向内方に形成した第１の切り目を含む第１のミシン目からこれを構成し、上記単位接合線は、上記ラベル基材の両端縁部それぞれから幅方向内方に形成した第２の切り目を含む第２のミシン目からこれを構成するとともに、この第２の切り目は、上記第１の切り目よりこれを長く形成してあり、上記値下げ用台紙なしラベルにおける上記領域分離線の部分において上記値下げ表示領域から上記バーコード隠蔽領域を分離し、上記元価格の上記価格情報に関連するバーコードに重ね合わせるように上記バーコード隠蔽領域を貼り付けることを特徴とする値下げ用台紙なしラベル連続体の貼付け方法である。
【００１４】
第三の発明は、ラベル基材と、このラベル基材の裏面に形成する粘着剤層と、このラベル基材の表面に形成する感熱発色剤層と、この感熱発色剤層の上層に形成する剥離剤層と、を有し、商品に表示されている元価格についての値下げ情報を表示可能な値下げ表示領域と、上記元価格の価格情報に関連するバーコードを隠蔽可能なバーコード隠蔽領域と、を領域分離線を介して分離可能に設けているとともに、上記値下げ表示領域および上記バーコード隠蔽領域を値下げ用台紙なしラベルの単位ラベルとして単位接合線により分離可能に接続している値下げ用台紙なしラベル連続体の印字方法であって、上記領域分離線は、上記ラベル基材の両端縁部それぞれから幅方向内方に形成した第１の切り目を含む第１のミシン目からこれを構成し、上記単位接合線は、上記ラベル基材の両端縁部それぞれから幅方向内方に形成した第２の切り目を含む第２のミシン目からこれを構成するとともに、この第２の切り目は、上記第１の切り目よりこれを長く形成してあり、上記値下げ表示領域に上記値下げ情報を印字するとともに、上記バーコード隠蔽領域に上記値下げ情報に関連するバーコードを印字することを特徴とする値下げ用台紙なしラベル連続体の印字方法である。
【００１５】
上記領域分離線における上記第１のミシン目は、上記ラベル基材の上記両端縁部に臨んでいる上記第１の切り目から上記ラベル基材の幅方向内方側に、より短い切り目を有しているとともに、上記単位接合線における上記第２のミシン目は、上記ラベル基材の上記両端縁部に臨んでいる上記第２の切り目から上記ラベル基材の幅方向内方側に、より短い切り目を有していることができる。
【００１６】
上記ラベル基材の上記裏面における上記粘着剤層は、これを縞状に形成するとともに、上記ラベル基材の上記表面における上記剥離剤層は、この縞状の上記粘着剤層に表裏で対応してこれを縞状に形成していることができる。
【００１７】
上記ラベル基材の上記裏面において上記粘着剤層に隣り合う非粘着剤領域を上記粘着剤層に対して交互に設けるととも、上記ラベル基材の上記表面において上記剥離剤層に隣り合う非剥離剤領域を上記剥離剤層に対して交互に設けていることができる。
【００１８】
上記粘着剤層は、上記ラベル基材の上記裏面において上記ラベル基材の両端縁部に位置しているとともに、上記剥離剤層は、上記ラベル基材の上記表面において上記ラベル基材の両端縁部に位置していることができる。
【００１９】
上記値下げ表示領域には、上記粘着剤層の領域内において不正貼替え防止用カットを形成していることができる。
【００２０】
上記バーコード隠蔽領域には、上記値下げ情報に関連するバーコードを印字可能としていることができる。
【００２１】
なお、商品の元価格の表示形態としては、元価格表示ラベルを商品の包装容器に貼り付ける形態、あるいは商品の包装容器に直接あらかじめ印刷してある形態、など任意の形態が考えられる。
【発明の効果】
【００２２】
本発明による値下げ用台紙なしラベル連続体、その貼付け方法およびその印字方法においては、ラベル基材の両端縁部それぞれから第２の切り目を含む第２のミシン目（単位接合線）、ラベル基材の両端縁部それぞれから第１の切り目を含む第１のミシン目（領域分離線）を形成するとともに、第２の切り目を第１の切り目より長く形成してあるので、第２のミシン目において単位ラベルとしての値下げ用台紙なしラベルを値下げ用台紙なしラベル連続体から確実かつ安定して分離可能である。
すなわち、値下げ用台紙なしラベル連続体から、まず単葉の値下げ用台紙なしラベルを切り離し可能であり、ついでこの値下げ用台紙なしラベル（値下げ表示領域）からバーコード目隠し片としてのバーコード隠蔽領域を切り取り可能であって、安定した使用を保証することができる。
【００２３】
とくに第一の発明によれば、第２の切り目を第１の切り目より長く形成してあるので、バーコード隠蔽領域を値下げ表示領域から不用意に分離することなく、値下げ用台紙なしラベルとして単葉ラベルの値下げ用台紙なしラベル連続体からの切取り操作を安定して行うことができる。
【００２４】
とくに第二の発明によれば、元価格の価格情報に関連するバーコードに重ね合わせるようにバーコード隠蔽領域を貼り付けるようにしたので、元価格のバーコードを隠蔽してバーコードの読取り誤りを防止可能である。
【００２５】
とくに第三の発明によれば、値下げ表示領域に値下げ情報を印字するとともに、バーコード隠蔽領域に値下げ情報に関連するバーコードを印字するようにしたので、元価格のバーコードの隠蔽とともに、新しい値下げ情報のバーコードを同じ面（元価格のバーコードが表示されている、たとえば裏面）において読み取り可能であり、レジにおける精算処理の効率向上に寄与することができる。
【発明を実施するための最良の形態】
【００２６】
本発明は、単葉の値下げ用台紙なしラベルを単位ラベルとして値下げ用台紙なしラベル連続体から分離するための第２のミシン目（単位接合線）におけるその端の長さ（第２の切り目）と、バーコード目隠し片としてのバーコード隠蔽領域を分離するための第１のミシン目（領域分離線）におけるその端の長さ（第１の切り目）と、を変えるようにしたので、機能性、操作性および安定性にすぐれた値下げ用台紙なしラベル連続体、その貼付け方法およびその印字方法を実現した。
【実施例】
【００２７】
つぎに本発明の第１の実施例による値下げ用台紙なしラベル連続体１、その貼付け方法およびその印字方法を図１ないし図５にもとづき説明する。
図１は、値下げ用台紙なしラベル連続体１の平面図、図２は、図１のＩＩ−ＩＩ線断面図、および図３は、値下げ用台紙なしラベル連続体１をロール状に巻いた状態の斜視図である。
値下げ用台紙なしラベル連続体１は、ラベル基材２と、ラベル基材２の裏面に形成する粘着剤層３と、ラベル基材２の表面に形成する感熱発色剤層４と、感熱発色剤層４の上層に形成する剥離剤層５と、を有する。
【００２８】
ラベル基材２の裏面における粘着剤層３は、値下げ用台紙なしラベル連続体１の幅方向に沿ってこれを縞状に形成するとともに、ラベル基材２の表面における剥離剤層５は、同幅方向に沿ってこの縞状の粘着剤層３に表裏で対応してこれを縞状にないしは筋状に形成している。
すなわち、ラベル基材２の裏面において値下げ用台紙なしラベル連続体１の長さ方向に延びる粘着剤層３に隣り合う非粘着剤領域３Ａを粘着剤層３に対して交互に縞状に設けるととも、ラベル基材２の表面において値下げ用台紙なしラベル連続体１の長さ方向に延びる剥離剤層５に隣り合う非剥離剤領域５Ａを剥離剤層５に対して交互に縞状に設けている。
また、粘着剤層３の一対は、ラベル基材２の裏面においてラベル基材２の両端縁部にそれぞれ位置しているとともに、剥離剤層５の一対は、ラベル基材２の表面においてラベル基材２の両端縁部にそれぞれ位置している。
【００２９】
かくして、図３に示すように、値下げ用台紙なしラベル連続体１をロール状に巻いた状態であっても、ロール形態において下層および上層に位置する値下げ用台紙なしラベル連続体１の表面（上層側）の剥離剤層５が裏面（下層側）の粘着剤層３との接着を抑制し、値下げ用台紙なしラベル連続体１の取扱いに支障はない。
【００３０】
上記縞状に粘着剤層３および剥離剤層５を設ける形態は任意であり、値下げ用台紙なしラベル連続体１の移送方向（長さ方向）あるいは幅方向や斜め方向であってもよく、粘着剤層３および剥離剤層５のそれぞれの幅も使用態様に応じて任意のものを採用可能である。
【００３１】
値下げ用台紙なしラベル連続体１は、単葉ないし単位ラベルとしての値下げ用台紙なしラベル１０の複数枚を連続しているもので、値下げ用台紙なしラベル１０のそれぞれは、ラベル本体である値下げ表示領域１１と、バーコード目隠し片となるバーコード隠蔽領域１２と、を有している。
値下げ表示領域１１は、商品に表示されている元価格についての値下げ情報を表示可能である。
バーコード隠蔽領域１２は、元価格の価格情報に関連するバーコードを隠蔽可能である。
値下げ表示領域１１およびバーコード隠蔽領域１２は、領域分離線１３を介してこれらを互いに分離可能に設けている。
また、値下げ表示領域１１およびバーコード隠蔽領域１２を値下げ用台紙なしラベル１０の単位ラベルとして単位接合線１４により値下げ用台紙なしラベル１０とは分離可能に接続している。
【００３２】
領域分離線１３は、ラベル基材２の両端縁部それぞれから幅方向内方に形成した第１の切り目１５を含む第１のミシン目からこれを構成する。第１の切り目１５は、少なくとも一本あればよいもので、図示の例ではラベル基材２の両端縁部に均等な左右一対のミシン目としてこれを形成している。
単位接合線１４は、ラベル基材２の両端縁部それぞれから幅方向内方に形成した第２の切り目１６を含む第２のミシン目からこれを構成する。第２の切り目１６は、少なくとも一本あればよいもので、図示の例ではラベル基材２の両端縁部に均等な左右一対のミシン目としてこれを形成している。
この第２の切り目１６は、第１の切り目１５よりこれを長く形成してある。
領域分離線１３における第１のミシン目は、ラベル基材２の両端縁部に臨んでいる第１の切り目１５からラベル基材２の幅方向内方側に、より短い切り目１５Ａおよび接続部１５Ｂを有しているとともに、単位接合線１４における第２のミシン目は、ラベル基材２の両端縁部に臨んでいる第２の切り目１６からラベル基材２の幅方向内方側に、より短い切り目１６Ａおよび接続部１６Ｂを有している。
【００３３】
また、それぞれの値下げ用台紙なしラベル１０の裏面には、ロール状の値下げ用台紙なしラベル連続体１をサーマルプリンター（図示せず）に装填して、移送印字する際の位置検出用マーク１７をあらかじめ印刷してある。
【００３４】
また、値下げ表示領域１１には、少なくとも粘着剤層３を設けている領域（剥離剤層５の領域）内に、任意の数および形状の不正貼替え防止用カット１８を形成している。もちろん、非粘着剤領域３Ａ（非剥離剤領域５Ａ）にも不正貼替え防止用カット１８を形成することができる。
【００３５】
なお、値下げ用台紙なしラベル連続体１（値下げ用台紙なしラベル１０）の表面領域には、必要に応じて任意の色デザインにより色分けを施すことができる。
たとえば、図１に図示の例では、バーコード隠蔽領域１２から値下げ表示領域１１の一部にかけて濃い赤色を地色（図中、密度が比較的濃い点の部分として描いている）とし、この赤地色に隣り合わせて値下げ表示領域１１の一部にかけて黄色を地色（図中、密度が比較的粗い点の部分として描いている）とし、他の値下げ表示領域１１を白地色とすることにより、値下げ処理を顧客にアピールすることができる。
【００３６】
こうした構成の値下げ用台紙なしラベル連続体１（値下げ用台紙なしラベル１０）において、値下げ用台紙なしラベル連続体１をサーマルプリンター（図示せず）に装填して、値下げ表示領域１１に値下げ情報を印字する。この値下げ情報としては、価格の値下げ処理に関する情報や値下げ価格はもちろん、この値下げ情報に関連するバーコード２２（図４）なども印字することができる。
すなわち、図４は、元価格を表示している元価格表示ラベル１９を貼り付けてある商品Ｍの表面側の平面図、図５は、同、商品Ｍの裏面図であって、商品Ｍの表面側には、元価格表示ラベル１９の隣りないし目立つ位置に値下げ用台紙なしラベル１０を貼り付けて値下げ情報を表示する。
また、商品Ｍの裏面側には、バーコードラベル２０を貼り付けてあり、このバーコードラベル２０には、元価格に関する価格情報に関連するバーコード２１を印字している。
【００３７】
値下げ用台紙なしラベル１０における領域分離線１３の部分において値下げ表示領域１１からバーコード隠蔽領域１２を分離し、元価格の価格情報に関連するバーコード２１に重ね合わせるようにバーコード隠蔽領域１２を貼り付ける。
かくして、バーコード隠蔽領域１２によってバーコード２１を隠蔽することによりバーコード２１の光学的読取りを不可能とし、また、値下げ用台紙なしラベル１０（値下げ表示領域１１）には値下げ情報に関連するバーコード２２を印字してあり、レジにおいてこのバーコード２２を読み取るようになっている。
【００３８】
バーコード隠蔽領域１２を値下げ表示領域１１から分離する際には、領域分離線１３を切り取り、値下げ用台紙なしラベル１０を値下げ用台紙なしラベル連続体１から分離する際には単位接合線１４を切り取ることになるが、単位接合線１４における第２の切り目１６の方が領域分離線１３における第１の切り目１５より長く形成されているので、まず値下げ用台紙なしラベル１０を値下げ用台紙なしラベル連続体１から分離しやすい。
この分離ののちに、値下げ用台紙なしラベル１０における値下げ表示領域１１とバーコード隠蔽領域１２とを分離可能であり、値下げ用台紙なしラベル１０を値下げ用台紙なしラベル連続体１から分離する前にバーコード隠蔽領域１２が先に分離されたり、一枚の値下げ用台紙なしラベル１０に二枚のバーコード隠蔽領域１２が切り取られてくるような不都合を回避可能である。
したがって、値下げ用台紙なしラベル連続体１（値下げ用台紙なしラベル１０）を用いて値下げ処理を行う作業者は、値下げ用台紙なしラベル１０の分離にあたって、無用な注意力を必要とせずに、効率的な処理を実行可能である。
【００３９】
さらに、値下げ用台紙なしラベル１０の表裏面において、粘着剤層３および剥離剤層５が縞状に形成されているので、複数回の値下げ処理にともなって複数枚の値下げ用台紙なしラベル１０が重ね合わせられて貼り付けられることになっても、上層側に位置する粘着剤層３のいずれかが、下層側に位置する非剥離剤領域５Ａに接着可能であって、貼付け状態を保持することができるとともに、粘着剤層３の領域に不正貼替え防止用カット１８を設けた構成であっても、不正貼替え防止機能を維持しておくことができる。
【００４０】
図６は、本発明の第２の実施例による値下げ用台紙なしラベル連続体３０の平面図であって、値下げ用台紙なしラベル連続体３０においては、その単位ラベルとしての値下げ用台紙なしラベル３１において、第１の切り目１５を含む領域分離線１３および第２の切り目１６（第１の切り目１５より長く形成してある）を含む単位接合線１４により値下げ表示領域３２およびバーコード隠蔽領域３３が分離可能とされている構成は値下げ用台紙なしラベル連続体１（図１）と同様であるが、バーコード隠蔽領域３３はこれを白地色として、このバーコード隠蔽領域３３に値下げ情報に関連するバーコード２２を印字可能としている。
【００４１】
こうした構成の値下げ用台紙なしラベル連続体３０（値下げ用台紙なしラベル３１）は、図１の値下げ用台紙なしラベル連続体１の場合と同様に使用可能であり、領域分離線１３および単位接合線１４の部分における安定した分離性を保証することができる。
【００４２】
すなわち、図７は、図５と同様の商品Ｍの裏面図であって、値下げ情報に関連するバーコード２２を印字してあるバーコード隠蔽領域３３をバーコードラベル２０のバーコード２１の部分に貼り付けることによってバーコード２１を隠蔽するとともに、バーコード隠蔽領域３３自体の貼付けにより、そのバーコード２２を同裏面側に表示しておくことができる。
したがって、レジにおいては、図４に示すような商品Ｍの表面側に表示されることになる値下げ情報に関連するバーコード２２を読み取るために一々商品全体をひっくり返す必要がなく、すなわち通常の値下げされていない商品Ｍと同様に、商品Ｍの裏面側のバーコード２２を光学的に読み取ってレジ処理を行うことができるため、バーコード読取り処理が能率的である。
【図面の簡単な説明】
【００４３】
【図１】本発明の第１の実施例による値下げ用台紙なしラベル連続体１の平面図である。
【図２】同、図１のＩＩ−ＩＩ線断面図である。
【図３】同、値下げ用台紙なしラベル連続体１をロール状に巻いた状態の斜視図である。
【図４】同、元価格を表示している元価格表示ラベル１９を貼り付けてある商品Ｍの表面側の平面図である。
【図５】同、商品Ｍの裏面図である。
【図６】本発明の第２の実施例による値下げ用台紙なしラベル連続体３０の平面図である。
【図７】同、図５と同様の商品Ｍの裏面図である。
【符号の説明】
【００４４】
１  値下げ用台紙なしラベル連続体（第１の実施例、図１）
２  ラベル基材
３  粘着剤層
３Ａ  非粘着剤領域
４  感熱発色剤層
５  剥離剤層
５Ａ  非剥離剤領域
１０  単位ラベルとしての値下げ用台紙なしラベル
１１  値下げ表示領域
１２  バーコード隠蔽領域
１３  領域分離線
１４  単位接合線
１５  領域分離線１３における左右一対の第１の切り目
１５Ａ  領域分離線１３のより短い切り目
１５Ｂ  領域分離線１３の接続部
１６  第１の切り目１５より長く形成してある、単位接合線１４における左右一対の第２の切り目
１６Ａ  単位接合線１４のより短い切り目
１６Ｂ  単位接合線１４の接続部
１７  位置検出用マーク
１８  不正貼替え防止用カット
１９  元価格表示ラベル（図４）
２０  バーコードラベル（図５、図７）
２１  元価格に関する価格情報に関連するバーコード
２２  値下げ情報に関連するバーコード
３０  値下げ用台紙なしラベル連続体（第２の実施例、図６）
３１  単位ラベルとしての値下げ用台紙なしラベル
３２  値下げ表示領域
３３  バーコード隠蔽領域
Ｍ    商品
【図１】
2010145465.tif 000003
【図２】
2010145465.tif 000004
【図３】
2010145465.tif 000005
【図４】
2010145465.tif 000006
【図５】
2010145465.tif 000007
【図６】
2010145465.tif 000008
【図７】
2010145465.tif 000009